【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
印刷データを受信する受信手段と、
前記受信手段が受信した印刷データに含まれる各ページを解析する解析手段と、
互いに異なるシート処理を指定可能な複数のページセットが前記印刷データに含まれるか否かを判定する判定手段と、
前記判定手段による判定の結果に基づき、前記複数のページセットが前記印刷データに含まれると判定された場合は、所定数分のページが前記解析手段によって解析されるまでは印刷開始しないように制御し、前記複数のページセットが前記印刷データに含まれないと判定された場合は、前記所定数分のページが前記解析手段によって解析される前に印刷開始するように制御する制御手段と、
を備えることを特徴とする印刷装置。
【請求項２】
前記制御手段は、前記複数のページセットが前記印刷データに含まれないと判定された場合は、最初のページが前記解析手段によって解析されたことに応じて印刷開始するように制御することを特徴とする請求項１に記載の印刷装置。
【請求項３】
印刷データを受信する受信手段と、
前記受信手段が受信した印刷データに含まれる各ページを解析する解析手段と、
互いに異なるシート処理を指定可能な複数のページセットが前記印刷データに含まれるか否かを判定する判定手段と、
前記判定手段による判定の結果に基づき、前記複数のページセットが前記印刷データに含まれると判定された場合は、所定数分のページセットに含まれるページが前記解析手段によって解析されるまでは印刷開始しないように制御し、前記複数のページセットが前記印刷データに含まれないと判定された場合は、最初のページが前記解析手段によって解析されたことに応じて印刷開始するように制御する制御手段と、
を備えることを特徴とする印刷装置。
【請求項４】
前記判定手段は、前記解析手段による解析の結果に基づいて前記判定を行うことを特徴とする請求項１乃至３のいずれか１項に記載の印刷装置。
【請求項５】
前記解析手段は、解析したページにページセットの区切りを示す情報が含まれていることを検出した場合に、当該ページの解析をやり直すことを特徴とする請求項１乃至４のいずれか１項に記載の印刷装置。
【請求項６】
前記シート処理は、パンチ処理、ステープル処理、折り処理、挿入処理、及びシフト処理の少なくとも１つを含むことを特徴とする請求項１乃至５のいずれか１項に記載の印刷装置。
【請求項７】
前記受信手段が受信する印刷データは、氏名または住所を含む顧客毎の情報を管理するデータベースを参照して生成された印刷データであることを特徴とする請求項１乃至６のいずれか１項に記載の印刷装置。
【請求項８】
印刷データを受信する受信工程と、
前記受信工程で受信した印刷データに含まれる各ページを解析する解析工程と、
互いに異なるシート処理を指定可能な複数のページセットが前記印刷データに含まれるか否かを判定する判定工程と、
前記判定工程における判定の結果に基づき、前記複数のページセットが前記印刷データに含まれると判定された場合は、所定数分のページが前記解析工程で解析されるまでは印刷開始しないように制御し、前記複数のページセットが前記印刷データに含まれないと判定された場合は、前記所定数分のページが前記解析工程で解析される前に印刷開始するように制御する制御工程と、
を備えることを特徴とする印刷方法。
【請求項９】
印刷データを受信する受信工程と、
前記受信工程で受信した印刷データに含まれる各ページを解析する解析工程と、
互いに異なるシート処理を指定可能な複数のページセットが前記印刷データに含まれるか否かを判定する判定工程と、
前記判定工程における判定の結果に基づき、前記複数のページセットが前記印刷データに含まれると判定された場合は、所定数分のページセットに含まれるページが前記解析工程で解析されるまでは印刷開始しないように制御し、前記複数のページセットが前記印刷データに含まれないと判定された場合は、最初のページが前記解析工程で解析されたことに応じて印刷開始するように制御する制御工程と、
を備えることを特徴とする印刷方法。
【請求項１０】
コンピュータを請求項１乃至７のいずれか１項に記載の印刷装置の各手段として機能させるためのプログラム。
【手続補正２】
【補正対象書類名】明細書
【補正対象項目名】発明の名称
【補正方法】変更
【補正の内容】
【発明の名称】印刷装置、印刷方法及びプログラム
【手続補正３】
【補正対象書類名】明細書
【補正対象項目名】０００１
【補正方法】変更
【補正の内容】
【０００１】
本発明は、印刷装置、印刷方法及びプログラムに関する。
【手続補正４】
【補正対象書類名】明細書
【補正対象項目名】００１０
【補正方法】変更
【補正の内容】
【００１０】
本発明は、上記課題に鑑みてなされたものである。そして、本発明は、受信した印刷データに互いに異なるシート処理を指定可能な複数のページセットが含まれるか否かに応じて印刷開始タイミングを適切に切り替える仕組みを提供することを目的とする。
【手続補正５】
【補正対象書類名】明細書
【補正対象項目名】００１１
【補正方法】変更
【補正の内容】
【００１１】
上記課題を解決するため、本発明に係る印刷装置は以下の構成を有する。すなわち、印刷データを受信する受信手段と、前記受信手段が受信した印刷データに含まれる各ページを解析する解析手段と、互いに異なるシート処理を指定可能な複数のページセットが前記印刷データに含まれるか否かを判定する判定手段と、前記判定手段による判定の結果に基づき、前記複数のページセットが前記印刷データに含まれると判定された場合は、所定数分のページが前記解析手段によって解析されるまでは印刷開始しないように制御し、前記複数のページセットが前記印刷データに含まれないと判定された場合は、前記所定数分のページが前記解析手段によって解析される前に印刷開始するように制御する制御手段と、を備えることを特徴とする。
また、本発明に係る印刷装置は、印刷データを受信する受信手段と、前記受信手段が受信した印刷データに含まれる各ページを解析する解析手段と、互いに異なるシート処理を指定可能な複数のページセットが前記印刷データに含まれるか否かを判定する判定手段と、前記判定手段による判定の結果に基づき、前記複数のページセットが前記印刷データに含まれると判定された場合は、所定数分のページセットに含まれるページが前記解析手段によって解析されるまでは印刷開始しないように制御し、前記複数のページセットが前記印刷データに含まれないと判定された場合は、最初のページが前記解析手段によって解析されたことに応じて印刷開始するように制御する制御手段と、を備えることを特徴とする。
【手続補正６】
【補正対象書類名】明細書
【補正対象項目名】００１２
【補正方法】変更
【補正の内容】
【００１２】
本発明によれば、受信した印刷データに互いに異なるシート処理を指定可能な複数のページセットが含まれるか否かに応じて印刷開始タイミングを適切に切り替えることができる。
【手続補正７】
【補正対象書類名】明細書
【補正対象項目名】００５９
【補正方法】変更
【補正の内容】
【００５９】
このように、受信した印刷データが、複数のページセットからなり、各ページセットごとに異なる種類の処理が指定された印刷データである場合と、ページセットを含まない印刷データとで印刷の開始タイミングを変える。具体的に説明すると、ページセットを含まない印刷データに従った印刷を実行する場合、図５に示す処理を実行せずに、１ページのデータの解析が終わったタイミングで印刷を開始可能であると判定し、展開が終わったページから順に印刷を開始する。一方、複数のページセットからなり、各ページセットごとに異なる種類の処理が指定された印刷データに従った印刷を実行する場合、解析済みのページの数が所定の閾値以上になるまで印刷を開始せず、所定の閾値以上になったことを条件に印刷を開始する。それによって、画像データの生成処理が遅くなることが原因で、印刷動作が停止してしまうことを防ぐことができる。
［ＰＳトランザクションデータのフィニッシング指示と出力例（図６、図７）］
図６において、５３０は印刷装置の排紙トレイへの積載状況、５４０はジョブ内に含まれる各ページセットの排紙トレイ上の詳細を示している。図７では、５３０、５４０の出力結果を実現するためのＰＳコマンドを５３０、５４０の個々の結果と関連付けて説明する。